(57)【要約】【課題】  無線タグに入れ込める情報量が少ないため、光ディスクの不正コピーに対して十分なセキュリティを確保することが困難であった。【解決手段】  非接触に無線を用いて情報を記録再生できる0.4ミリ角以下の微小半導体素子を回転ディスク内に埋め込み、該半導体素子に記憶された情報を用いて、回転ディスクからの情報の記録再生を制御する。【効果】  本発明によると、不正な手段によりディスクが複製されたとしても、情報の記録再生を止めることができる。【選択図】  図１
2005235281.tif 000002
【特許請求の範囲】
【請求項１】
光学的に情報を回転ディスクに記録し、再生する情報記憶系において、非接触に無線を用いて情報を記録再生できる微小半導体素子を回転ディスク内に埋め込み、該半導体素子に記憶された情報を用いて、回転ディスクからの情報の記録再生を制御する方法において、0.4ミリ角以下の微小素子を用いることを特徴とするディスク情報記録再生制御方法。
【請求項２】
第１項記載のディスク情報記録再生制御方法において、無線用のアンテナがディスクの半径方向に略一回転し、アンテナの両端に前記素子が接続されていることを特徴とするディスク情報記録再生制御方法。
【請求項３】
第１項記載のディスク情報記録再生制御方法において、公開鍵暗号システムを使用したディジタル署名システムを用い、ディスクに記録された情報は復号化鍵で暗号化し、再生時には暗号化鍵で復号化し、前記復号化鍵、暗号化鍵を前記素子の情報と公開鍵から作成することを特徴とするディスク情報記録再生方法。
【発明の詳細な説明】
【技術分野】
【０００１】
本発明は、光学的特性変化を用いて媒体に情報を記録再生する方式及び装置に係わり、特に光ディスク装置に関するものである。
【背景技術】
【０００２】
無線タグを使用して、光ディスクの情報記録再生を制御する方法としては、2002年ＩＳＯＭ、ＯＤＳ国際学会においてフィリップスより発表された例がある。
【０００３】
【非特許文献１】ISOM/ODS２００２テクニカルダイジェスト、MA1、「Chip in Disk」
【発明の開示】
【発明が解決しようとする課題】
【０００４】
使用周波数が低いためにアンテナとしては数十ターンのコイルを円板内に実装し、光ディスクドライブ装置より大きなアンテナを必要とするため、実用化が困難であった。また、無線タグに入れ込める情報量が少ないため、光ディスクの不正コピーに対しても、十分なセキュリティを確保することが困難であった。本発明は以上の問題点を解決する方法を提案する。
【課題を解決するための手段】
【０００５】
まず、小型するためには使用する周波数を高くしながら、実用に耐える無線通信距離を考慮しつつ、する。さらに、セキュリティを保つためにディスクを複製されても、情報を改竄されないような暗号を入れ込む必要がある。通信距離を１０センチ以内、低出力でも無線として使用可能な使用周波数としては、２ＧＨｚから８ＧＨｚ帯が好適である。
【０００６】
そのために、好適な半導体素子がある。ミューチップと命名された、0.4mm角の粉末状ICチップ・サイズを実現した非接触無線タグである。2.45GHzの高周波アナログ回路と128ビットのROMを0.4mm角のチップサイズ中に集積している。また、受信した電波を動作電力とし、128ビットのユニークなIDデータを非接触で送信することができ、製造工程でデータをROM(再生専用メモリ)に書き込むため、128ビットの認識情報に暗号技術を適用して高い真正性保証機能を実現できる。さらに、0.3mm角のICチップも開発されており、ICチップの表面および裏面に電極を設けて、サイドイッチ状にICチップを挟むアンテナ構造も実現できている。この構造では、片面1個のアンテナ接続端子なのでチップ面積が小さくてすむ点と、ICチップが上下反転しても動作できる。さらに、ミューチップIDデータの読み取りに必要な回路の高周波部をも1チップに集積化しており、わずかな外付け部品を追加することで、小実装面積（4平方cm程度）なリーダ装置の高周波部を実現できる。
日立評論２００３年１２月号、「RFID用微小ICミューチップを利用したSCMパッケージ」の文献を参照。この周波数帯ではアンテナ長さは６０ミリ程度でよくなる。ディスク内周に略一回転で実装できるため、製造が非常に簡単となる。光ディスクを装着するために使用されている領域内に十分に収まる。
【０００７】
さらに、この素子では記憶できる情報ビットが１２８ビットと従来の無線タグに比較して、非常に大きい。このビット数の大きさを生かして、セキュリティを高めるために公開鍵暗号システムを使用した、ディジタル署名方法を採用する。復号化鍵でディスク上に記録する情報を暗号化し、暗号化鍵で復号化する構成とする。復号化鍵を作成するために無線タグの素子内の情報を使用する。さらに、暗号鍵の作成に無線タグ内の情報を使用する。このようにすると、円板だけを複製しても、無線タグ内の情報を知らない限り情報を正しく読み出すことができない。
【０００８】
【非特許文献２】日立評論２００３年１２月号、「RFID用微小ICミューチップを利用したSCMパッケージ」
【発明の効果】
【０００９】
本発明によると、不正な手段によりディスクが複製されたとしても、情報の記録再生を止めることができる。
【発明を実施するための最良の形態】
【００１０】
以下、図面を参照して本発明の実施の形態を説明する。以下の図において、同じ機能部分には同じ符号を付けて説明する。
【００１１】
図１では光ディスク装置５の全体構成を示す。ディスク１内には無線タグ３があり、前記タグと情報の通信を行う通信手段４があり、光ディスク１上に情報を記録再生する記録再生手段２があり、これらの手段を制御するインターフェース６，７があり、インターフェース６，７を介して、光ディスク上の情報の記録再生を制御回路８が無線タグ内の情報により制御する。
【００１２】
図２では、無線タグ３の実装状態をしめす。円板１の形状は直径１２０ミリ、ディスクを装着するのに使用する領域１０の直径は２５ミリである。この装着領域に無線タグ用のアンテナ１１を埋め込む。使用周波数が２．４５ＧＨｚであるため、アンテナの長さはやく６０ミリ程度と従来より短く、一回転内で、上記装着領域に入る。
【００１３】
図３ではセキュリティを高めるための暗号化構造をしめす。ディスク上に記録するユーザデータ３０を復号化鍵３１で暗号器３２を用いて、暗号化し、暗号化された情報３３をディスク１に通常の方法で記録する。ここで、復号化鍵と暗号化鍵は、ある数学的な関係に基づいて決められているので、片方の鍵が分かればもう一方を求めるのは不可能ではないが、（計算量の点から）現実的ではない。ディスク１から読み出された情報３４は復号器３６に入力され、暗号化鍵３５により復号され、ユーザ情報が得られる。無線タグ３から情報３７を検出し、公開鍵３５と情報３７を変換回路４０に入力させ、変換回路４０により暗号化鍵３５を作成する。この構成により、ディスクが複製され、情報３４が再生できても、無線タグを複製できないとユーザ情報を得られない。
ここで、復号化鍵３１と暗号化鍵３５は無線タグに入れる情報３７と公開鍵３５から良く知られた方法で変換回路４０により作成する。たとえば、公開鍵３５を情報３７を用いてスクランブルをおこない、暗号化鍵３５を作成する。また、暗号ごとに決められた数学的な演算を行い、暗号化鍵３５に対応する復号化鍵３１を変換回路３９で作成する。
【００１４】
ここで述べた、公開鍵とは、ユーザ情報を特定する情報であり、世の中で一般に知られた情報である。たとえば、音楽情報とすると、その楽曲につけられた分類番号のようなものである。光ディスクに記録された情報を読み出すためには、装置５に公開鍵を入力することが必要となる。
【００１５】
公開鍵を装置に入力しないようにするためには、図３において、無線タグ情報３７と暗号化鍵３５と一致させる。
【図面の簡単な説明】
【００１６】
【図１】本発明の装置を示す図。
【図２】無線タグの実装状態を示す図。
【図３】セキュリティを高めるための暗号化構造を示す図。
【符号の説明】
【００１７】
１：ディスク、２：記録再生手段、３：無線タグ、４：通信手段、６，７：インターフェース。
【図１】
2005235281.tif 000003
【図２】
2005235281.tif 000004
【図３】
2005235281.tif 000005